(57)【要約】【課題】脱穀処理された穀粒を貯留用ホッパーにより貯留するように構成されているコンバインにおいて、燃料タンクの配置構成の改善が望まれていた。【解決手段】脱穀処理された穀粒を貯留する貯留空間を有するとともにその貯留空間の下方に穀粒を排出可能な排出部を有する貯留用ホッパー２５が備えられ、平面視で貯留用ホッパー２５と重複する状態で、貯留用ホッパー２５の下の領域に燃料タンク４１が備えられている。【選択図】図１
2019004766.tif 000002
【特許請求の範囲】
【請求項１】
脱穀処理された穀粒を貯留する貯留空間を有するとともにその貯留空間の下方に穀粒を排出可能な排出部を有する貯留用ホッパーが備えられ、
平面視で前記貯留用ホッパーと重複する状態で、前記貯留用ホッパーの下の領域に燃料タンクが備えられているコンバイン。
【請求項２】
前記燃料タンクは、前記貯留用ホッパーの後端部よりも後側に突出している請求項１に記載のコンバイン。
【請求項３】
前記燃料タンクは、前記貯留用ホッパーの機体左右方向一方側寄りの位置で前記貯留用ホッパーの後端部よりも後側に突出する状態で備えられ、
前記貯留用ホッパーの後側で且つ機体左右方向他方側寄りの位置に、作業台が備えられている請求項１又は２に記載のコンバイン。
【請求項４】
前記貯留用ホッパーを支持する上下向きのホッパー支持フレームが、機体フレームから立設される状態で備えられ、
前記作業台は、前記ホッパー支持フレームの後端部よりも後側に突出する状態で前記ホッパー支持フレームに支持されている請求項３に記載のコンバイン。
【請求項５】
前記作業台は、機体フレームに対して上方に離間する状態で設けられ、
前記作業台と機体フレームとの間に、前記燃料タンクに貯留される燃料に作用する燃料用補機が備えられている請求項４に記載のコンバイン。
【請求項６】
機体フレームのうち前記燃料タンクが支持されている箇所に対して機体左右方向に隣り合う位置に、バランスウエイト取付け部が形成されている請求項１から５のいずれか１項に記載のコンバイン。
【請求項７】
刈取穀稈を脱穀処理する脱穀装置が、前記貯留用ホッパーと機体左右方向に並ぶ状態で備えられ、
前記燃料タンクは、前記貯留用ホッパーの下の領域のうち、機体左右方向において前記脱穀装置寄りの位置で、且つ、機体前後方向において機体後部側の位置に備えられている請求項１から６のいずれか１項に記載のコンバイン。
【請求項８】
前記貯留用ホッパーを支持する上下向きのホッパー支持フレームが、機体フレームから立設される状態で備えられ、
前記ホッパー支持フレームに、前記脱穀装置側に位置するとともに、前後両側に位置する複数の支柱が備えられ、
前側の前記支柱と後側の前記支柱とに亘る状態で且つ機体フレームから立ち上がる状態で壁部材が備えられ、
前記脱穀装置又は前記燃料タンクのいずれかと前記壁部材との間の領域に、配線もしくは配管又はその両方が通されている請求項７に記載のコンバイン。
【請求項９】
前記壁部材は、機体前後方向視において上方側ほど前記脱穀装置側に位置する斜め姿勢の傾斜面部と、その傾斜面部の上側に連なり上方に向けて延びる縦面部とを有し、
前記傾斜面部と機体フレームとによって囲まれる領域に、前記配線もしくは前記配管又はその両方が通る空間が形成されている請求項８に記載のコンバイン。
【請求項１０】
後側の前記支柱よりも後側で且つ前記燃料タンクに対して前記脱穀装置とは機体左右方向反対側に、前記燃料タンクに貯留される燃料に作用する燃料用補機が備えられ、
前記配線もしくは前記配管又はその両方は、前記燃料用補機に接続されている請求項８又は９に記載のコンバイン。
【発明の詳細な説明】
【技術分野】
【０００１】
本発明は、脱穀処理された穀粒を貯留用ホッパーにより貯留するように構成されているコンバインに関する。
【背景技術】
【０００２】
この種のコンバインにおいて、従来では、機体の前部に運転部が備えられ、運転部の後側に位置する状態で貯留用ホッパーが備えられ、その貯留用ホッパーの後側に位置する状態で燃料タンクが備えられていた（例えば、特許文献１参照）。
【先行技術文献】
【特許文献】
【０００３】
【特許文献１】特開２０１４−１８３８１５号公報
【発明の概要】
【発明が解決しようとする課題】
【０００４】
上記従来構成では、大型の部材である燃料タンクの全体が、貯留用ホッパーの後側に位置する状態で配備されるので、それだけ、燃料タンクが機体後方に向けて突出する状態となり、機体前後長が長くなったり、燃料タンクが畦等の障害物に接触して損傷するおそれがある等の不利があった。
【０００５】
そこで、上記構成のコンバインにおいて、燃料タンクの配置構成の改善が望まれていた。
【課題を解決するための手段】
【０００６】
本発明に係るコンバインの特徴構成は、
脱穀処理された穀粒を貯留する貯留空間を有するとともにその貯留空間の下方に穀粒を排出可能な排出部を有する貯留用ホッパーが備えられ、
平面視で前記貯留用ホッパーと重複する状態で、前記貯留用ホッパーの下の領域に燃料タンクが備えられている点にある。
【０００７】
貯留用ホッパーは上部側に位置し、貯留用ホッパーの下方には、排出部から排出される穀粒を穀粒収容袋等にて回収するための作業領域が形成されている。又、貯留用ホッパーは、穀粒を流下排出し易いように、上側が幅広で下方側ほど順次幅狭となるような下窄まり状に形成される。
【０００８】
そして、貯留用ホッパーの下の領域に燃料タンクが備えられる。つまり、上述したように下窄まり状に形成され、下側に空き領域を有する貯留用ホッパーの下の領域を有効利用して、燃料タンクを備えるようにした。
【０００９】
このように、貯留用ホッパーの下の領域に燃料タンクを備えることにより、燃料タンクの機体後部側への突出量を抑制するようにしたり、大型の燃料タンクの外面のうちの多くの部分を機体内側に位置させて畦等の障害物への接触のおそれを少なくすることが可能となる。
【００１０】
本発明においては、前記燃料タンクは、前記貯留用ホッパーの後端部よりも後側に突出していると好適である。
【００１１】
本構成によれば、燃料タンクの後部が貯留用ホッパーの後端部よりも後側に突出しているから、この箇所に給油口を形成しておくと、給油作業を機体後部側から能率よく行うことができる。
【００１２】
本発明においては、前記燃料タンクは、前記貯留用ホッパーの機体左右方向一方側寄りの位置で前記貯留用ホッパーの後端部よりも後側に突出する状態で備えられ、
前記貯留用ホッパーの後側で且つ機体左右方向他方側寄りの位置に、作業台が備えられていると好適である。
【００１３】
本構成によれば、燃料タンクに対して燃料補給を行う場合、作業台に燃料を収容している燃料容器を載置して重量負担が掛からない状態で楽に燃料タンクに対して燃料補給を行うことができる。
【００１４】
作業台は貯留用ホッパーの機体左右方向他方側寄りに位置し、燃料タンクは貯留用ホッパーの機体左右方向一方側寄りに位置しているので、燃料容器と燃料タンクとが左右方向に並ぶ状態となり、給油用のホースを接続し易くなる等、給油作業が行い易いものになる。
【００１５】
本発明においては、前記貯留用ホッパーを支持する上下向きのホッパー支持フレームが、機体フレームから立設される状態で備えられ、
前記作業台は、前記ホッパー支持フレームの後端部よりも後側に突出する状態で前記ホッパー支持フレームに支持されていると好適である。
【００１６】
本構成によれば、貯留用ホッパーを支持するための強固なホッパー支持フレームにより作業台を安定的に支持することができる。作業台はホッパー支持フレームの後端部よりも後側に突出するので、排出部から排出される穀粒を穀粒収容袋等にて回収する作業の邪魔になることはない。
【００１７】
本発明においては、前記作業台は、機体フレームに対して上方に離間する状態で設けられ、
前記作業台と機体フレームとの間に、前記燃料タンクに貯留される燃料に作用する燃料用補機が備えられていると好適である。
【００１８】
本構成によれば、作業台は、機体フレームよりも上方の高い位置に設けられるので、作業台に載置される燃料容器と燃料タンクにおける給油口との間での上下位置のずれが少なくなり、給油作業が行い易いものになる。そして、作業台と機体フレームとの間、つまり、機体フレームよりも上で且つ作業台の下に位置するとともに平面視で作業台と重複する位置に燃料用補機が備えられる。燃料用補機は、例えば、燃料に含まれる塵埃を除去するオイルフィルター等がある。
【００１９】
作業台が燃料用補機と平面視で重複するような位置にあるので、障害物が近づいたような場合に、作業台が燃料用補機よりも先に障害物に接触するので、保護部材として機能して燃料用補機が損傷することを回避し易い。
【００２０】
本発明においては、機体フレームのうち前記燃料タンクが支持されている箇所に対して機体左右方向に隣り合う位置に、バランスウエイト取付け部が形成されていると好適である。
【００２１】
貯留用ホッパーにより穀粒を貯留する型式のコンバインでは、例えば、矩形箱状の穀粒タンクにて穀粒を貯留するとともに、スクリューコンベア式の穀粒排出装置にて穀粒を排出させるようにしたタンク型式のコンバインに比べて、穀粒貯留箇所の重量が軽くなる。そして、タンク型式のコンバインと機体フレーム等を共用することを想定すると、機体左右方向での重量バランスが偏り気味になる。
【００２２】
本構成によれば、燃料タンクの機体左右方向に隣り合う位置にバランスウエイト取付け部が形成されているので、ここにウエイトを載置すると、上記したような重量バランスの偏りを修正して重量バランスの改善を行うことが可能である。
【００２３】
本発明においては、刈取穀稈を脱穀処理する脱穀装置が、前記貯留用ホッパーと機体左右方向に並ぶ状態で備えられ、
前記燃料タンクは、前記貯留用ホッパーの下の領域のうち、機体左右方向において前記脱穀装置寄りの位置で、且つ、機体前後方向において機体後部側の位置に備えられていると好適である。
【００２４】
本構成によれば、燃料タンクは、機体左右方向において、貯留用ホッパーに対して脱穀装置寄りの位置、すなわち、脱穀装置と貯留用ホッパーとの並び方向の中間側に位置している。又、燃料タンクは、機体前後方向において貯留用ホッパーに対して機体後部側に位置している。
【００２５】
つまり、燃料タンクは、機体左右方向中央寄りで且つ機体後部側の位置に備えられており、機体左右方向での重量バランスを崩すことなく、機体後方側から補給作業等が行い易いものになっている。
【００２６】
本発明においては、前記貯留用ホッパーを支持する上下向きのホッパー支持フレームが、機体フレームから立設される状態で備えられ、
前記ホッパー支持フレームに、前記脱穀装置側に位置するとともに、前後両側に位置する複数の支柱が備えられ、
前側の前記支柱と後側の前記支柱とに亘る状態で且つ機体フレームから立ち上がる状態で壁部材が備えられ、
前記脱穀装置又は前記燃料タンクのいずれかと前記壁部材との間の領域に、配線もしくは配管又はその両方が通されていると好適である。
【００２７】
本構成によれば、ホッパー支持フレームにおける脱穀装置側に位置する前後の支柱にわたって壁部材が備えられる。貯留用ホッパーの下方には、穀粒を収容袋等にて回収するための作業領域が形成され、この作業領域には、複数の収容袋が待機状態で備えられることがある。このような作業領域と、配線もしくは配管又はその両方（以下、配線等という場合がある）が通されている領域とが、壁部材によって仕切られるので、収容袋等が配線等に接触して、配線等が損傷することを未然に回避することができる。
【００２８】
本発明においては、前記壁部材は、機体前後方向視において上方側ほど前記脱穀装置側に位置する斜め姿勢の傾斜面部と、その傾斜面部の上側に連なり上方に向けて延びる縦面部とを有し、
前記傾斜面部と機体フレームとによって囲まれる領域に、前記配線もしくは前記配管又はその両方が通る空間が形成されていると好適である。
【００２９】
本構成によれば、傾斜面部と機体フレームとによって囲まれる領域は機体前後方向視で略三角形状の空間であり、傾斜面部の上側に連なる縦面部は脱穀装置側に寄った状態で位置する。つまり、配線等の通過領域は、貯留用ホッパーの下方の作業領域のうち脱穀装置側の下側の隅部に位置しており、しかも、縦面部は脱穀装置側に寄っているので、貯留用ホッパーの下方の作業領域をできるだけ広く使用することができるものでありながら、配線等を良好に収納することができる。
【００３０】
本発明においては、後側の前記支柱よりも後側で且つ前記燃料タンクに対して前記脱穀装置とは機体左右方向反対側に、前記燃料タンクに貯留される燃料に作用する燃料用補機が備えられ、
前記配線もしくは前記配管又はその両方は、前記燃料用補機に接続されていると好適である。
【００３１】
本構成によれば、燃料タンクに貯留される燃料は配管を通してエンジンに供給される。そのとき、燃料用補機が燃料に作用して、例えば、塵埃の除去や水分の分離等の処理が行われる。エンジンは燃料タンクよりも機体前部側に備えられるので、傾斜面部と機体フレームとによって囲まれる領域を通る配管を通してエンジンに供給される。又、配管以外にも燃料用補機が電気的に動作するものであれば、傾斜面部と機体フレームとによって囲まれる領域を通る配線によって機体前部側の電気機器等に接続される。
【図面の簡単な説明】
【００３２】
【図１】コンバインの全体側面図である。
【図２】コンバインの全体平面図である。
【図３】貯留部の側面図である。
【図４】貯留部の正面図である。
【図５】燃料タンク設置部の平面図である。
【図６】燃料タンク設置部の背面図である。
【発明を実施するための形態】
【００３３】
以下、本発明に係る実施形態をコンバインの一例としての普通型コンバインに適用した場合について図面に基づいて説明する。
【００３４】
〔全体構成〕
図１及び図２に示すように、普通型コンバインは、左右一対のクローラ走行装置１を備えた走行機体２の前部右側に運転部３が備えられ、刈り取られた作物を脱穀処理する脱穀装置４と、脱穀処理により得られた穀粒を貯留する穀粒貯留部５とが備えられている。穀粒貯留部５は運転部３の後側に位置する状態で備えられ、穀粒貯留部５が機体右側に位置し、脱穀装置４が機体左側に位置する状態で、穀粒貯留部５と脱穀装置４とが機体横幅方向に沿って並んで位置している。又、運転部３の下方にエンジン６が備えられ、エンジン６の動力が、コンバインの各部に伝達される。
【００３５】
この実施形態では、機体の前後方向を定義するときは、作業状態における機体進行方向に沿って定義し、機体の左右方向を定義するときは、機体進行方向視で見た状態で左右を定義する。すなわち、図１及び図２に符号（Ｆ）で示す方向が機体前側、図１及び図２に符号（Ｂ）で示す方向が機体後側である。図２に符号（Ｌ）で示す方向が機体左側、図２に符号（Ｒ）で示す方向が機体右側である。
【００３６】
脱穀装置４の前部に横軸芯周りに上下揺動自在に刈取穀稈搬送用のフィーダ７が連結され、このフィーダ７の前端に略機体横幅に相当する刈幅を有する刈取部８が連結されている。刈取部８は、植立穀稈を後方に向けて掻き込む回転リール９、植立穀稈の株元を切断して刈り取るバリカン型の刈取装置１０、刈取穀稈を機体横幅方向中間側へ横送り移送する横送りオーガ１１等を備えており、刈取装置１０により刈り取った穀稈を横送りオーガ１１によって横送りしてフィーダ７に供給する。
【００３７】
運転部３には、運転座席１２と、運転座席１２の前方に位置して操向操作レバー１３等の複数の操作具を備えるフロントパネル１４と、運転座席１２の左横側に位置して変速レバー１５や脱穀クラッチレバー１６等の種々の操作具を備えるサイドパネル１７等が備えられている。運転座席１２の右横側には、図示しないラジエータファンの作用によってエンジン６に対する冷却風を吸気するための防塵ダクト１８が備えられている。運転部３には、運転部３に着座する運転者に対する日差しを防いだり、雨水を避ける等の機能を有する運転部キャノピー１９が備えられている。
【００３８】
脱穀装置４は、左右両側が側壁４Ａによって覆われ、上部が天板４Ｂによって覆われている。そして、図示はしないが、左右の側壁４Ａと天板４Ｂにより囲われた内部空間の上部側に、扱胴と受網（図示せず）とを有し、フィーダ７より搬送されてくる刈取穀稈の扱き処理を行う扱室が形成されている。又、扱室の下部に、受網から漏下する扱き処理物を、穀粒、枝付き籾等の二番物、及び、排ワラ屑等に選別する選別処理部が備えられている。
【００３９】
選別処理部にて選別された穀粒は、図示しない一番物回収スクリューにより脱穀装置４の穀粒貯留部５側の横側外方に排出される。脱穀装置４における穀粒貯留部５側の側壁４Ａの横外側方にスクリューコンベアからなる揚穀装置２０が備えられている。脱穀装置４の穀粒貯留部５側の横側外方に排出された穀粒は、揚穀装置２０により上方に搬送され、穀粒貯留部５内に貯留される。
【００４０】
選別処理部にて得られた二番物は、二番物回収スクリュー（図示せず）により脱穀装置４の穀粒貯留部５側の横側外方に排出され、脱穀装置４における穀粒貯留部５側の横側に備えられた二番物還元装置２３により脱穀装置４の前側部分に還元される。排ワラ屑等は、脱穀装置４の機体後部側に排出ケース４Ｃを通して外方に排出される。
【００４１】
〔穀粒貯留部〕
穀粒貯留部５について説明する。
図１に示すように、穀粒貯留部５は、脱穀処理された穀粒を貯留する貯留空間を有するとともにその貯留空間の下方に穀粒を排出可能な排出部として排出口２４を有する貯留用ホッパー２５と、貯留用ホッパー２５から排出される穀粒を回収する回収部２６と、貯留用ホッパー２５を支持するホッパー支持フレーム２７とが備えられている。
【００４２】
図３，４に示すように、貯留用ホッパー２５は、上部側に、略直方体形状の空間を形成する略無底箱状の矩形箱状部２５Ａが備えられ、下部側に、３つの下狭まり状の漏斗部２８を有する流下案内部２５Ｂが備えられている。矩形箱状部２５Ａの下端開口部と流下案内部２５Ｂの上端開口部とが接続されて、矩形箱状部２５Ａの内部と流下案内部２５Ｂの内部とが連なる状態で空間が形成されている。すなわち、矩形箱状部２５Ａの内部空間と流下案内部２５Ｂの内部空間の全体により穀粒を貯留する貯留空間が形成されている。３つの漏斗部２８の下端部には、穀粒を下方に排出可能な排出口２４が形成され、且つ、その排出口２４を開閉自在な手動操作式のシャッター機構２９が備えられている。
【００４３】
回収部２６には、貯留用ホッパー２５の排出口２４から排出される穀粒を収容するための穀粒収容袋Ｆを縦姿勢で保持する袋保持部３０が備えられている。袋保持部３０は、穀粒収容袋Ｆの上部に係止して縦姿勢を保持するために、複数の左右向きの支持杆３０ａが片持ち状に延びる状態で備えられている。回収部２６の下部には、穀粒が収容された穀粒収容袋Ｆを受止め支持するための載置台３１が備えられている。
【００４４】
載置台３１の右側には、穀粒回収作業を行う補助作業者が乗ることができる作業用ステップ部３２が備えられている。この作業用ステップ部３２は、機体内方側（左側）端部の前後揺動軸芯周りで揺動自在に機体フレーム３３に支持され、機体横外方に張り出した作業姿勢と、機体内方側に引退する格納姿勢とに切り換え可能に構成されている。又、貯留用ホッパー２５の上側には、作業領域で作業する補助作業者の上方側を覆い、日差しを防いだり、雨水を防止する等の機能を有する補助キャノピー３４が備えられている。
【００４５】
ホッパー支持フレーム２７は、貯留用ホッパー２５の前後両側端部に対応する位置において、左右方向に間隔をあけて機体フレーム３３から立設された複数の支柱３５と、複数の支柱３５の上端部同士にわたって連結された左右向きの横向きフレーム３６とが備えられている。
【００４６】
説明を加えると、図４に示すように、機体前部側には、左右方向に間隔をあけて３本の支柱３５が備えられ、機体後部側には、左右方向に間隔をあけて２本の支柱３５が備えられている。全ての支柱３５は下端部が機体フレーム３３に連結されて固定されている。そして、前後両側部において、左右方向に並ぶ複数の支柱３５の上端部同士にわたって左右向きの横向きフレーム３６が連結されている。前後両側の横向きフレーム３６は夫々、機体左側すなわち脱穀装置４側の端部が脱穀装置４の側壁４Ａにボルト連結されている。
【００４７】
貯留用ホッパー２５は、流下案内部２５Ｂの前後両側端部に備えられた支持部材３７が、前後両側の横向きフレーム３６に取り付けられた受止め部材３８にて載置支持され、支持部材３７と受止め部材３８とがボルト連結されている。このようにして貯留用ホッパー２５がホッパー支持フレーム２７に支持されている。図３，４において、符号３９は、袋付け作業を行う補助作業者を後方側から支える作業者保護部材である。符号４０は、補助作業者が握り操作可能な手摺である。
【００４８】
〔燃料タンク〕
次に、燃料タンク４１について説明する。
平面視で貯留用ホッパー２５と重複する状態で、貯留用ホッパー２５の下の領域に燃料タンク４１が備えられている。燃料タンク４１は、貯留用ホッパー２５の下の領域のうち、機体左右方向において脱穀装置４寄りの位置で、且つ、機体前後方向において機体後部側の位置に備えられている。
【００４９】
すなわち、図５，６に示すように、貯留用ホッパー２５と脱穀装置４との間における機体左右方向中間位置であって機体後部側の位置に、貯留用ホッパー２５の後端部よりも後側に突出する状態で備えられている。図５に示すように、燃料タンク４１は、平面視において前後方向に幅広で且つ左右方向に幅狭の長方形状で、且つ、図６に示すように、機体前後方向視において左右方向に幅狭で上下方向に幅広の長方形状の矩形箱状体に構成されている。つまり、左右方向には幅狭で、且つ、前後方向並びに上下方向に幅広となり、左右方向にコンパクトな形状であり、脱穀装置４と穀粒貯留部５との間の狭い領域を利用して配備できるものでありながら、大きめの燃料貯留容量を確保することができる。
【００５０】
燃料タンク４１の上面の後端部に斜め後上方に向けて開口する燃料補給口４２が形成されている。燃料補給口４２は機体後端部から上向きに開口しているので、機体後部外方から給油作業を楽に行うことができる。
【００５１】
燃料タンク４１は、前後一対のバンド４３により位置保持されている。バンド４３は、燃料タンク４１を上方から巻付ける状態で設けられるとともに左右両側端部が機体フレーム３３に固定されている。
【００５２】
図５に示すように、機体フレーム３３のうち燃料タンク４１が支持されている箇所に対して機体左右方向の右側に隣り合う位置にバランスウエイト取付け部４４が形成されている。そして、このバランスウエイト取付け部４４に、バランスウエイト４５が取付けられている。
【００５３】
説明を加えると、機体フレーム３３は、ホッパー形式の穀粒貯留部５に代わりに、図示しない、穀粒タンクと、スクリューコンベア式の穀粒排出装置とを備えたタンク型式の穀粒貯留部を採用するコンバインにも兼用して使用する構成となっている。ホッパー形式の穀粒貯留部５の重量は、タンク型式の穀粒貯留部に比べて軽量であるから、左右重量バランスをよくするためにバランスウエイト４５を取り付けるようにしている。
【００５４】
説明を加えると、図４に示すように、バランスウエイト取付け部４４は、機体フレーム３３における機体後部側に位置する横向きフレーム体３３Ａから後側に向けて固定延設される左右一対の前後向きアーム部４４ａと、左右の前後向きアーム部４４ａに亘って架設される横向き延設部４４ｂとを備えている。横向き延設部４４ｂは前後に一対設けられ、後部側の横向き延設部４４ｂにおける右側箇所にバランスウエイト４５が取付けられている。
【００５５】
そして、燃料タンク４１は、横向きフレーム体３３Ａ、左側の前後向きアーム部４４ａ、前後の横向き延設部４４ｂにおける左側箇所に載置支持されている。
【００５６】
図５に示すように、後側の支柱３５よりも後側で且つ燃料タンク４１に対して脱穀装置４とは機体左右方向反対側（右側）に、燃料タンク４１に貯留される燃料に作用する燃料用補機として、燃料に含まれる細かな塵埃を除去するオイルフィルター４６、及び、燃料に含まれる水分を分離して除去するウォーターセパレータ４７が備えられている。
【００５７】
燃料をエンジン６に向けて送り出すポンプ４８が、燃料タンク４１の前部側に備えられている。燃料タンク４１内の燃料は、オイルフィルター４６及びウォーターセパレータ４７を通過したのち、ポンプ４８によって前後方向に長く延びる配管Ｈを通して機体前部のエンジン６に供給される。エンジン６からの戻り油（余剰分）は配管Ｈを通して燃料タンク４１に戻される。
【００５８】
燃料タンク４１の内部には燃料の残量を計測するための燃料残量検出センサ（図示せず）が備えられている。この燃料残量検出センサの検出情報は、図示しない配線を通して機体前部の図示しない制御装置に伝達される。又、ポンプ４８は図示しない配線を通して制御装置からの指令に基づいて動作する構成となっている。
【００５９】
図３，５，６に示すように、貯留用ホッパー２５の後側で且つ左側（機体左右方向他方側）寄りの位置に作業台４９が備えられている。作業台４９は、ホッパー支持フレーム２７の後端部よりも後側に突出する状態でホッパー支持フレーム２７に支持されている。この作業台４９は、丸パイプ材を略Ｕ字状に曲げた形状であり、後部側に位置する二本の支柱３５の夫々に溶接にて一体的に連結されて支持されている。作業台４９の左側端部が二本の支柱３５のうちの左側の支柱３５に連結され、作業台４９の右側端部から左右方向に延長横向き部５０が延びており、二本の支柱３５のうちの右側の支柱３５に連結されている。図６に示すように、燃料タンク４１に燃料を補給する際に、作業台４９に燃料容器（ポリタンク）Ｔを載置して重量負担が掛からない状態で給油作動を行える。
【００６０】
図３，６に示すように、作業台４９は、機体フレーム３３に対して上方に離間する状態で設けられている。そして、作業台４９と機体フレーム３３との間にオイルフィルター４６及びウォーターセパレータ４７が備えられている。オイルフィルター４６及びウォーターセパレータ４７は、平面視で重複する状態で作業台４９の下方に位置している。
【００６１】
図３，４，６に示すように、ホッパー支持フレーム２７の複数の支柱３５のうち、脱穀装置４側に位置する前後両側の支柱３５において、前側の支柱３５と後側の支柱３５とに亘る状態で且つ機体フレーム３３から立ち上がる状態で壁部材５１が備えられている。図４，６に示すように、壁部材５１は、機体前後方向視において上方側ほど脱穀装置４側に位置する斜め姿勢の傾斜面部５１Ａと、その傾斜面部５１Ａの上側に連なり上方に向けて延びる縦面部５１Ｂとを有し、前後方向に沿って貯留用ホッパー２５の略全幅にわたって延びている。
【００６２】
壁部材５１の縦面部５１Ｂは、前後両側部にて前後の支柱３５に設けられたブラケット５２にボルト連結にて固定されている。壁部材５１の傾斜面部５１Ａは、前後両側部と前後中央部の３箇所において、載置台３１と共締めされる状態で、機体フレーム３３にボルト連結にて固定されている。
【００６３】
図４，６に示すように、壁部材５１の傾斜面部５１Ａと機体フレーム３３とによって囲まれる領域に、上記したように燃料が通過する配管Ｈ、及び、燃料残量検出センサＳやポンプ４８と制御装置とを接続する配線が通る空間Ｑが形成されている。この空間Ｑは、穀粒収容袋Ｆが備えられて作業者が穀粒回収作業を行う作業領域に対して、壁部材５１によって仕切られているので、穀粒収容袋Ｆ等が接触して配管Ｈや配線が損傷することを防止できる。
【００６４】
〔別実施形態〕
（１）上記実施形態では、燃料タンク４１が、貯留用ホッパー２５の後端部よりも後側に突出する構成としたが、燃料タンク４１が貯留用ホッパー２５の後端部よりも後側に突出しない状態で備えられるものでもよい。
【００６５】
（２）上記実施形態では、燃料タンク４１が、平面視で燃料タンク４１の一部の領域が貯留用ホッパー２５と重複する状態で設けられる構成としたが、この構成に代えて、燃料タンク４１が貯留用ホッパー２５の下側にもっと入り込み、平面視で燃料タンク４１のほとんどの領域や全ての領域が貯留用ホッパー２５と重複する状態で設けられる構成としてもよい。
【００６６】
（３）上記実施形態では、作業台４９がホッパー支持フレーム２７に支持される構成したが、この構成に代えて、作業台４９が専用の支持フレームにて支持される構成としてもよい。
【００６７】
（４）上記実施形態では、作業台４９と機体フレーム３３との間に燃料用補機としてのオイルフィルター４６及びウォーターセパレータ４７が備えられる構成としたが、この構成に代えて、平面視で作業台４９が燃料用補機から位置ずれしている状態で備える構成としてもよい。又、このような作業台４９を備えていない構成でもよい。燃料用補機としてのオイルフィルター４６及びウォーターセパレータ４７に限らず、それ以外に装置、例えば、ポンプ等を含むものでよく、別の装置を備えるものでもよい。
【００６８】
（５）上記実施形態では、機体フレーム３３にバランスウエイト取付け部４４が形成される構成としたが、このようなバランスウエイト取付け部４４を備えていない構成でもよい。
【００６９】
（６）上記実施形態では、壁部材５１の傾斜面部５１Ａと機体フレーム３３とによって囲まれる領域に形成された空間Ｑを、燃料が通過する配管Ｈ、及び、燃料残量検出センサＳやポンプ４８と制御装置とを接続する配線の両方が通る構成としたが、この構成に代えて、前記配管Ｈと前記配線のうちのいずれか一方だけが通る構成でもよい。又、壁部材５１が、傾斜面部５１Ａと縦面部５１Ｂとを有するものに代えて、上下方向に全幅にわたり平坦な縦面部を有するものでもよい。
【００７０】
（７）上記実施形態では、コンバインとして、普通型コンバインを例示したが、普通型コンバインの代わりに自脱側コンバインに適用することができる。
【産業上の利用可能性】
【００７１】
本発明は、脱穀処理された穀粒を貯留用ホッパーにより貯留するように構成されているコンバインに適用できる。
【符号の説明】
【００７２】
４              脱穀装置
２５            貯留用ホッパー
２７            ホッパー支持フレーム
３３            機体フレーム
３５            支柱
４１            燃料タンク
４６，４７      燃料用補機
５１            壁部材
５１Ａ          傾斜面部
５１Ｂ          縦面部
Ｑ              空間
【図１】
2019004766.tif 000003
【図２】
2019004766.tif 000004
【図３】
2019004766.tif 000005
【図４】
2019004766.tif 000006
【図５】
2019004766.tif 000007
【図６】
2019004766.tif 000008